(57)【要約】  本発明は、非同期システムと同期システムが混在している移動通信網におけるハンドオーバー方法を開示する。同方法は、デュアルモード移動通信端末に対して非同期システムから同期システムへのハンドオーバーを要請する段階；上記移動通信端末で上記ハンドオーバーの要請を受信した場合、上記移動通信端末が、逆方向通信チャンネルを介してフレーム又はプリアンブルを同期システムに伝送し、該同期システムに上記ハンドオーバーが完了したことを報告し、所定時間に設定された上記移動通信端末のタイマーを駆動させる段階；該タイマーの設定時間が満了すると、非同期ボコーダーから同期ボコーダーに切り替える段階；及び上記の報告を受信した場合、上記無線通信システムが非同期及び同期交換機のボコーダーを切り替える段階；を含む。
2007528659.tif 000002
【特許請求の範囲】
【請求項１】
通話中のデュアルモード移動通信端末が非同期移動通信システムから同期移動通信システムにハンドオーバーする方法において、
上記移動通信端末のハンドオーバー要請に従って上記非同期移動通信システムから上記同期移動通信システムにハンドオーバーを要請する段階；
上記同期移動通信システムが上記移動通信端末に順方向トラフィックチャンネルを割り当て、上記ハンドオーバー要請に対する応答メッセージを上記非同期移動通信システムに伝送する段階；
上記非同期移動通信システムから上記移動通信端末にハンドオーバーを指示する段階；
上記ハンドオーバーの指示を受信すると、上記移動通信端末が上記同期移動通信システムに逆方向トラフィックチャンネルを通してフレームまたはプリアンブルを伝送し、ハンドオーバーが完了したことを上記同期移動通信システムに報告し、所定の時間に設定されたタイマーを駆動させる段階；
上記タイマーの設定時間が満了すると、上記移動通信端末がボコーダーを切り替える段階；及び
上記移動通信端末からのハンドオーバー完了報告を受信すると、上記同期移動通信システムから上記非同期移動通信システムに上記移動通信端末のハンドオーバーが完了したことを報告し、非同期交換機と同期交換機のボコーダーを切り替える段階；を含むハンドオーバー方法。
【請求項２】
上記非同期移動通信システムは、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを基に上記ハンドオーバーを要請することを特徴とする請求項１記載のハンドオーバー方法。
【請求項３】
上記方法は、上記非同期移動通信システムが上記移動通信端末の隣接セル情報、隣接基地局情報を参照して、上記移動通信端末のハンドオーバー要請が非同期通信システムでのハンドオーバーであるか、または同期移動通信システムへのハンドオーバーであるかを判断する段階を更に含む請求項２記載のハンドオーバー方法。
【請求項４】
上記非同期移動通信システムから上記同期移動通信システムへのハンドオーバー要請は、上記移動通信端末の非同期識別番号（ＭＳＩＳＤＮ）を含むことを特徴とする請求項１記載のハンドオーバー方法。
【請求項５】
上記非同期移動通信システムの上記同期移動通信システムへのハンドオーバー要請は、ビリングＩＤ、ＥＳＮ、内部交換機サーキットＩＤ、ＭＩＮパラメーターのうちの一つ以上を含み、上記同期移動通信システムによる上記ハンドオーバー要請に対する応答メッセージは、ＣＤＭＡチャンネルデータパラメーター、またはＣＤＭＡチャンネルリストパラメーターを含むことを特徴とする請求項４記載のハンドオーバー方法。
【請求項６】
非同期移動通信システムと同期移動通信システムが混在している移動通信システムで、上記非同期移動通信システム及び同期移動通信システムと通信可能なデュアルバンドデュアルモード移動通信端末の音声通話時における黙音区間を最小化するためのハンドオーバー方法であって、
上記移動通信端末のハンドオーバー要請に従って上記非同期移動通信システムが上記同期移動通信システムにハンドオーバーを要請する段階；
上記同期移動通信システムの基地局／基地局制御機が上記移動通信端末に順方向トラフィックチャンネルを割り当て、同期交換機にハンドオーバー要請に対する応答メッセージを伝送する段階；
上記同期交換機が非同期交換機にハンドオーバー要請に対する応答メッセージを伝送し、上記非同期交換機と同期交換機との間に中継線が設定される段階；
上記非同期交換機が上記非同期移動通信システムの無線網制御機にハンドオーバーのための資源割当が完了したことを報告する段階；
上記無線網制御機がノードＢを通して上記移動通信端末にハンドオーバーを指示し、上記移動通信端末が同期移動通信システム接続モードに切り替えられるようにする段階；
上記移動通信端末が上記基地局／基地局制御機に逆方向トラフィックチャンネルを通してフレームまたはプリアンブルを伝送し、ハンドオーバーが完了したことを報告する段階；
上記移動通信端末が同期移動通信システムとの接続完了に伴い、タイマーを駆動させる段階；
上記基地局／基地局制御機が上記同期交換機を通して上記非同期交換機にハンドオーバーが完了したことを報告する段階；
上記移動通信端末がタイマー駆動を満了してボコーダーを切り替える段階；
上記非同期交換機と同期交換機のボコーダーを切り替える段階；及び
上記非同期交換機と上記ノードＢ／無線網制御機との間の接続を解除する段階；を含むハンドオーバー方法。
【請求項７】
上記非同期移動通信システムと上記同期移動通信システムとの間の接続を解除する段階は、上記非同期交換機が上記ノードＢ／無線網制御機に接続解除を要請した後、上記非同期交換機が上記ノードＢ／無線網制御機から接続解除が完了したことを受信する段階であることを特徴とする請求項６記載のハンドオーバー方法。
【請求項８】
上記無線網制御機が上記非同期交換機にハンドオーバー要請メッセージを伝送する段階は、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを有することを特徴とする請求項６記載のハンドオーバー方法。
【請求項９】
上記非同期交換機は、上記移動通信端末の隣接セル情報、隣接基地局情報を参照して、非同期移動通信システム内のハンドオーバーであるか、又は同期移動通信システムへのハンドオーバーであるかを判断する段階を更に含む請求項８記載のハンドオーバー方法。
【請求項１０】
上記非同期交換機が上記同期交換機にハンドオーバー要請メッセージを伝送する段階において、上記移動通信端末の非同期識別番号（ＭＳＩＳＤＮ）を共に伝送することを特徴とする請求項６記載のハンドオーバー方法。
【請求項１１】
上記非同期交換機は、上記同期交換機にハンドオーバー指示メッセージを伝送する前に、上記非同期交換機と接続する同期交換機のＩＤ情報を含むビリング（Ｂｉｌｌｉｎｇ）ＩＤ、及びハンドオーバー区間別内部交換機サーキットＩＤ（Ｉｎｔｅｒ  ＭＳＣ  Ｃｉｒｃｕｉｔ  ＩＤ）を伝送することを特徴とする請求項６記載のハンドオーバー方法。
【請求項１２】
上記非同期交換機が上記同期交換機に伝送するハンドオーバー要請メッセージは、ビリングＩＤ、ＥＳＮ、内部交換機サーキットＩＤ、ＭＩＮを含むパラメーターを有し、上記同期交換機が上記非同期交換機に伝送する応答メッセージは、ＣＤＭＡチャンネルデータ、ＣＤＭＡチャンネルリストを含むパラメーターを有することを特徴とする請求項６記載のハンドオーバー方法。
【請求項１３】
上記非同期交換機が上記無線網制御機に資源割当完了メッセージを伝送する段階において、上記資源割当完了メッセージは、メッセージタイプ、ＲＲＣコンテナ、解除すべきＲＡＢリストを含むパラメーターを有することを特徴とする請求項６記載のハンドオーバー方法。
【請求項１４】
上記非同期交換機とノードＢ／無線網制御機との間の接続が解除される段階以後、
着信または発信移動通信端末から交換機に呼解除の要請が送信され、上記呼解除の要請を受信した交換機が相手交換機に呼解除要請メッセージを伝送し、相手交換機がこれに応答することで上記非同期交換機と同期交換機との間に設定されていた中継線が解除されることを特徴とする請求項６記載のハンドオーバー方法。
【請求項１５】
非同期移動通信システム及び同期移動通信システムが混在しており、上記非同期移動通信システムと同期移動通信システムとが相互連動運用部によって接続される移動通信システムで、上記非同期移動通信システム及び同期移動通信システムと通信可能なデュアルバンドデュアルモード移動通信端末の音声通話時における黙音区間を最小化するためのハンドオーバー方法において、
上記非同期交換機が上記相互連動運用部にハンドオーバー要請メッセージを伝送し、上記相互連動運用部がデュアルスタックホーム位置登録機に上記移動通信端末の加入者情報の伝送を要請し受信する段階；
上記相互連動運用部が上記同期交換機にハンドオーバーを指示し、上記同期交換機が上記基地局／基地局制御機にハンドオーバーを要請する段階；
上記基地局／基地局制御機が上記移動通信端末に順方向トラフィックチャンネルを割り当て、上記同期交換機にハンドオーバー要請に対する応答メッセージを伝送する段階；
上記同期交換機が上記相互連動運用部にハンドオーバー指示に対する応答メッセージを伝送し、上記相互連動運用部が上記非同期交換機にハンドオーバー要請に対する応答メッセージを伝送して、上記非同期交換機と同期交換機との間に中継線が設定される段階；
上記非同期交換機が上記無線網制御機にハンドオーバーのための資源割当が完了したことを報告する段階；
上記無線網制御機が上記ノードＢを通して上記移動通信端末にハンドオーバーを指示し、上記移動通信端末が同期移動通信システム接続モードに切り替えられるようにする段階；
上記相互連動運用部が上記非同期交換機にアクセス信号を伝送する段階；
上記移動通信端末が上記基地局／基地局制御機に逆方向トラフィックチャンネルを通してフレーム及びプリアンブルを伝送し、ハンドオーバーが完了したことを報告する段階；
上記移動通信端末が同期移動通信システムとの接続完了に伴い、タイマーを駆動させる段階；
上記基地局／基地局制御機が上記同期交換機にハンドオーバーが完了したことを報告し、上記同期交換機が上記相互連動運用部にハンドオーバーが完了したことを通報する段階；
上記移動通信端末がタイマー駆動を満了してボコーダーを切り替える段階；
上記非同期交換機と同期交換機のボコーダーを切り替える段階；及び
上記非同期交換機と上記ノードＢ／無線網制御機との間の接続を解除する段階；を含むハンドオーバー方法。
【請求項１６】
上記無線網制御機が上記非同期交換機に伝送するハンドオーバー要請メッセージは、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを有することを特徴とする請求項１５記載のハンドオーバー方法。
【請求項１７】
上記方法は、上記非同期交換機が上記移動通信端末の隣接セル情報、隣接基地局情報を基に非同期移動通信システム内のハンドオーバーであるか、又は同期移動通信システムへのハンドオーバーであるかを判断する段階を更に含む請求項１６記載のハンドオーバー方法。
【請求項１８】
上記非同期交換機が上記相互連動運用部に伝送する上記ハンドオーバー要請メッセージは、上記移動通信端末の非同期識別番号（ＭＳＩＳＤＮ）を含むことを特徴とする請求項１５記載のハンドオーバー方法。
【請求項１９】
上記相互連動運用部が上記デュアルスタックホーム位置登録機から受信する加入者情報は、上記移動通信端末の同期網識別者（ＭＩＮ，ＥＳＮ）を含むことを特徴とする請求項１５記載のハンドオーバー方法。
【請求項２０】
上記相互連動運用部が上記デュアルスタックホーム位置登録機に上記移動通信端末の加入者情報を要請する段階では、同期メッセージまたは非同期メッセージのどちらか一方を利用することを特徴とする請求項１５記載のハンドオーバー方法。
【請求項２１】
上記相互連動運用部は、上記同期交換機にハンドオーバー指示メッセージを伝送する前に、上記非同期交換機と接続すべき同期交換機のＩＤ情報を含むビリング（Ｂｉｌｌｉｎｇ）ＩＤを生成してハンドオーバー指示メッセージに含ませて伝送し、ハンドオーバー区間別内部交換機サーキットＩＤ（Ｉｎｔｅｒ  ＭＳＣ  Ｃｉｒｃｕｉｔ  ＩＤ）をも含ませて伝送することを特徴とする請求項１５記載のハンドオーバー方法。
【請求項２２】
上記相互連動運用部が上記同期交換機に伝送するハンドオーバー要請メッセージは、ビリングＩＤ、ＥＳＮ、内部交換機サーキットＩＤ、ＭＩＮを含むパラメーターを有し、上記同期交換機が上記相互連動運用部に伝送する応答メッセージは、ＣＤＭＡチャンネルデータ、ＣＤＭＡチャンネルリストを含むパラメーターを有することを特徴とする請求項１５記載のハンドオーバー方法。
【請求項２３】
上記資源割当完了メッセージは、メッセージタイプ、ＲＲＣコンテナ、解除すべきＲＡＢリストを含むパラメーターを有することを特徴とする請求項１５記載のハンドオーバー方法。
【請求項２４】
上記アクセス信号は、インボークＩＤ、応用プロトコルデータ単位（ＡＰＤＵ）、選択された無線資源情報を含むことを特徴とする請求項１５記載のハンドオーバー方法。
【請求項２５】
上記非同期交換機とノードＢ／無線網制御機との間の接続が解除される段階以後、
着信または発信移動通信端末から呼解除の要請が受信されるに伴い、上記呼解除要請を受信した交換機が上記相互連動運用部に呼解除要請メッセージを伝送し、上記相互連動運用部がこれに応答して上記非同期交換機と上記同期交換機との間に設定されていた中継線が解除されることを特徴とする請求項１５記載のハンドオーバー方法。
【請求項２６】
上記呼解除要請メッセージは、内部ＭＳＣサーキットＩＤ、解除理由、ビリングＩＤ、ＭＩＮを含むパラメーターを有し、上記応答メッセージは、ビリングＩＤを含むパラメーターを有することを特徴とする請求項２５記載のハンドオーバー方法。
【請求項２７】
非同期移動通信システム及び同期移動通信システムが混在しており、上記非同期移動通信システムと同期移動通信システムとが相互連動運用部によって接続される移動通信システムで、上記非同期移動通信システム及び同期移動通信システムと通信可能なデュアルバンドデュアルモード移動通信端末の音声通話時における黙音区間を最小化するためのハンドオーバー方法において、
上記非同期交換機が上記相互連動運用部にハンドオーバー要請メッセージを伝送し、上記相互連動運用部が上記デュアルスタックホーム位置登録機に上記移動通信端末の加入者情報の伝送を要請し受信する段階；
上記相互連動運用部が上記同期交換機にハンドオーバーを指示し、上記同期交換機が上記基地局／基地局制御機にハンドオーバーを要請する段階；
上記基地局／基地局制御機が上記移動通信端末に順方向トラフィックチャンネルを割り当て、上記同期交換機にハンドオーバー要請に対する応答メッセージを伝送する段階；
上記同期交換機が上記相互連動運用部にハンドオーバー指示に対する応答メッセージを伝送し、上記相互連動運用部が上記非同期交換機にハンドオーバー要請に対する応答メッセージを伝送することで、上記非同期交換機と同期交換機との間に中継線が設定される段階；
上記非同期交換機が上記相互連動運用部に初期住所メッセージを伝送してこれに対する応答を受信し、上記非同期交換機と同期交換機との間にトランク設定がなされる段階；
上記非同期交換機が上記無線網制御機にハンドオーバーのための資源割当が完了したことを報告する段階；
上記無線網制御機が上記ノードＢを通して上記移動通信端末にハンドオーバーを指示し、上記移動通信端末が同期移動通信システム接続モードに切り替える段階；
上記相互連動運用部が上記非同期交換機にアクセス信号を伝送する段階；
上記移動通信端末が上記基地局／基地局制御機に逆方向トラフィックチャンネルを通してフレームまたはプリアンブルを伝送し、ハンドオーバーが完了したことを報告する段階；
上記移動通信端末が同期移動通信システムとの接続完了に伴い、タイマーを駆動させる段階；
上記基地局／基地局制御機が上記同期交換機にハンドオーバーが完了したことを報告し、上記同期交換機が上記相互連動運用部にハンドオーバーが完了したことを通報する段階；
上記移動通信端末がタイマー駆動を満了してボコーダーを切り替える段階；
上記非同期交換機と同期交換機のボコーダーを切り替える段階；及び
上記非同期交換機とノードＢ／無線網制御機との間の接続を解除する段階；を含むハンドオーバー方法。
【請求項２８】
上記非同期交換機と同期交換機との間にトランク設定がなされる段階は、上記非同期交換機が上記相互連動運用部にＩＳＵＰメッセージであるＩＡＭ（Ｉｎｉｔｉａｌ  Ａｄｄｒｅｓｓ  Ｍｅｓｓａｇｅ）を伝送し、上記相互連動運用部が上記非同期交換機にＩＳＵＰメッセージであるＡＣＭ（Ａｄｄｒｅｓｓ  Ｃｏｍｐｌｅｔｉｏｎ  Ｍｅｓｓａｇｅ）を伝送することによって行われることを特徴とする請求項２７記載のハンドオーバー方法。
【請求項２９】
上記非同期交換機とノードＢ／無線網制御機との間の接続を解除する段階は、上記相互連動運用部が上記非同期交換機に接続の解除を要請し、ＩＳＵＰメッセージを用いて上記同期交換機と上記移動通信端末とが接続されたことを報告する段階；及び
上記非同期交換機とノードＢ／無線網制御機との間の接続が解除される段階を含む請求項２７記載のハンドオーバー方法。
【請求項３０】
上記無線網制御機が上記非同期交換機にハンドオーバー要請メッセージを伝送する段階は、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを有することを特徴とする請求項２７記載のハンドオーバー方法。
【請求項３１】
上記方法は、上記非同期交換機が上記移動通信端末の隣接セル情報、隣接基地局情報を参照して、非同期移動通信システム内のハンドオーバーであるか、又は同期移動通信システムへのハンドオーバーであるかを判断する段階を更に含む請求項３０記載のハンドオーバー方法。
【請求項３２】
上記非同期交換機が上記相互連動運用部にハンドオーバー要請メッセージを伝送する段階において、上記移動通信端末の非同期識別番号（ＭＳＩＳＤＮ）を共に伝送することを特徴とする請求項２７記載のハンドオーバー方法。
【請求項３３】
上記相互連動運用部が上記デュアルスタックホーム位置登録機から受信する加入者情報は、上記移動通信端末の同期網識別者（ＭＩＮ，ＥＳＮ）を含むことを特徴とする請求項２７記載のハンドオーバー方法。
【請求項３４】
上記相互連動運用部が上記デュアルスタックホーム位置登録機に上記移動通信端末の加入者情報を要請する段階は、同期メッセージまたは非同期メッセージのどちらか一方を利用することを特徴とする請求項２７記載のハンドオーバー方法。
【請求項３５】
上記相互連動運用部は、上記同期交換機にハンドオーバー指示メッセージを伝送する前に、上記非同期交換機と接続する同期交換機のＩＤ情報を含むビリング（Ｂｉｌｌｉｎｇ）ＩＤを生成してハンドオーバー指示メッセージに含ませて伝送し、ハンドオーバー区間別内部交換機サーキットＩＤ（Ｉｎｔｅｒ  ＭＳＣ  Ｃｉｒｃｕｉｔ  ＩＤ）を伝送することを特徴とする請求項２７記載のハンドオーバー方法。
【請求項３６】
上記相互連動運用部が上記同期交換機に伝送するハンドオーバー要請メッセージは、ビリングＩＤ、ＥＳＮ、内部交換機サーキットＩＤ、ＭＩＮを含むパラメーターを有し、上記同期交換機が上記相互連動運用部に伝送する応答メッセージは、ＣＤＭＡチャンネルデータ、ＣＤＭＡチャンネルリストを含むパラメーターを有することを特徴とする請求項２７記載のハンドオーバー方法。
【請求項３７】
上記資源割当完了メッセージは、メッセージタイプ、ＲＲＣコンテナ、解除すべきＲＡＢリストを含むパラメーターを有することを特徴とする請求項２７記載のハンドオーバー方法。
【請求項３８】
上記アクセス信号は、インボークＩＤ、応用プロトコルデータ単位（ＡＰＤＵ）、選択された無線資源情報を含むことを特徴とする請求項２７記載のハンドオーバー方法。
【請求項３９】
上記非同期交換機とノードＢ／無線網制御機との間の接続が解除される段階以後、
着信または発信移動通信端末から呼解除の要請が受信されるに伴い、上記呼解除の要請を受信した交換機が上記相互連動運用部に交換機間トランク接続解除及び呼解除を要請し、上記相互連動運用部が呼解除を要請しない交換機に呼解除要請メッセージを伝送し、上記呼解除要請メッセージを受信した交換機が上記相互連動運用部に応答メッセージを伝送することで、上記非同期交換機と同期交換機との間に設定されていた中継線が解除されることを特徴とする請求項２７記載のハンドオーバー方法。
【請求項４０】
上記呼解除要請メッセージは、内部ＭＳＣサーキットＩＤ、解除理由、ビリングＩＤ、ＭＩＮを含むパラメーターを有し、上記応答メッセージは、ビリングＩＤを含むパラメーターを有することを特徴とする請求項３９記載のハンドオーバー方法。
【請求項４１】
上記非同期交換機とノードＢ／無線網制御機との間の接続を解除する段階以後、
上記方法は、非同期移動通信システム領域の移動通信端末が呼を解除するに従い、上記非同期交換機と同期交換機との呼が解除される段階；
上記非同期交換機と同期交換機との間のトランク接続が解除される段階；及び
上記非同期交換機が上記相互連動運用部に接続解除が完了したことを報告し、上記相互連動運用部が上記同期交換機に呼解除要請メッセージを伝送し、上記同期交換機が上記呼解除要請メッセージに応答することで、上記中継線設定が解除される段階；を更に含むことを特徴とする請求項２７記載のハンドオーバー方法。
【請求項４２】
上記呼解除要請メッセージは、内部ＭＳＣサーキットＩＤ、解除理由、ビリングＩＤ、ＭＩＮを含むパラメーターを有し、上記応答メッセージは、ビリングＩＤを含むパラメーターを有することを特徴とする請求項４１記載のハンドオーバー方法。
【発明の詳細な説明】
【技術分野】
【０００１】
本発明は、異なる移動通信システム間におけるハンドオーバー方法に関し、特に、非同期システムと同期システムが混在している移動通信網でのハンドオーバー方法に関する。
【背景技術】
【０００２】
現在の移動通信網は、２世代または２．５世代網と呼ばれる同期移動通信システム（ＣＤＭＡ移動通信システム）と、３世代網と呼ばれる非同期移動通信システム（ＷＣＤＭＡ移動通信システム）とが共存する形をとっている。
【０００３】
このような移動通信網技術の発展に伴い、同期方式システム及び非同期方式システムの両方で使用可能なデュアルバンドデュアルモード移動通信端末（Ｄｕａｌ  Ｂａｎｄ  Ｄｕａｌ  Ｍｏｄｅ  Ｔｅｒｍｉｎａｌ；ＤＢＤＭ移動通信端末）が開発されており、このような移動通信端末を利用することにより、非同期方式システム領域と同期方式システム領域とでそれぞれ異なる方式のサービスを利用することができる。かかるＤＢＤＭ移動通信端末は、アンテナ、同期移動通信サービスのためのモジュールである同期モデム部、非同期移動通信サービスのためのモジュールである非同期モデム部、及び共通モジュールで構成される。
【０００４】
非同期移動通信システムはサービス初期段階にあり、システム具現に莫大の投資額が必要であるため、広域サービスができず同期移動通信システム領域に重なった形で具現されている。これにより、非同期移動通信システムのサービス領域が制限され、このため非同期移動通信システム加入者が非同期領域でサービスを利用していて非同期移動通信サービスの提供されない同期領域へ移動する場合は、連続的なサービスを提供するためのハンドオーバーが必要となる。
【０００５】
最近は、非同期移動通信システムから同期移動通信システムへ移動する端末に対しての様々なハンドオーバー方法が研究されている。このような移動通信端末のハンドオーバー時に移動通信端末は、非同期移動通信システムとの音声通話に使われる非同期ボコーダーを、同期移動通信システムとの音声通話に使われる同期ボコーダーに切り替えなければならず、非同期及び同期移動通信システムも同様にボコーダー切替過程が必要となる。従って、移動通信端末及び移動通信システムのボコーダーが両方とも切替えられてから音声通話が可能となる。
【０００６】
しかし、現在のところ、移動通信端末のボコーダー切替時点と移動通信システムのボコーダー切替時点との間には時間差があるため、ハンドオーバー中に黙音区間が発生し、これゆえサービス品質が低下するという問題点があった。
【０００７】
本発明の目的は、相異なる移動通信システムが混在する移動通信網におけるハンドオーバー方法を提供することにある。
【０００８】
本発明の他の目的は、相異なる方式の移動通信システム間のハンドオーバー時における黙音区間を最小化することができるハンドオーバー方法を提供することにある。
【０００９】
本発明のまた他の目的は、非同期移動通信システムから同期移動通信システムへのハンドオーバー方法を提供することにある。
【００１０】
（発明の詳細な説明）
上記目的を達成するための本発明の第１観点によるハンドオーバー方法は、通話中のデュアルモード移動通信端末が非同期移動通信システムから同期移動通信システムにハンドオーバーする方法において、上記移動通信端末のハンドオーバー要請に従い、上記非同期移動通信システムから上記同期移動通信システムにハンドオーバーを要請する段階；上記同期移動通信システムが上記移動通信端末に順方向トラフィックチャンネルを割り当て、上記ハンドオーバー要請に対する応答メッセージを上記非同期移動通信システムに伝送する段階；上記非同期移動通信システムから上記移動通信端末にハンドオーバーを指示する段階；上記ハンドオーバー指示を受信すると、上記移動通信端末が上記同期移動通信システムに逆方向トラフィックチャンネルを通してフレームまたはプリアンブルを伝送し、ハンドオーバーが完了したことを上記同期移動通信システムに報告して所定の時間に設定されたタイマーを駆動する段階；上記タイマーの設定時間が満了すると、上記移動通信端末がボコーダーを切り替える段階；及び上記移動通信端末からのハンドオーバー完了の報告を受信すると、上記同期移動通信システムから上記非同期移動通信システムに上記移動通信端末のハンドオーバーが完了したことを報告し、非同期交換機と同期交換機のボコーダーを切り替える段階；を含む。
【００１１】
望ましくは、上記非同期移動通信システムは、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターに基づき、上記ハンドオーバーを要請する。
【００１２】
望ましくは、上記方法は、上記非同期移動通信システムが上記移動通信端末の隣接セル情報、隣接基地局情報を参照して、上記移動通信端末のハンドオーバー要請が非同期通信システムでのハンドオーバーであるか、又は同期移動通信システムへのハンドオーバーであるかを判断する段階を更に含む。
【００１３】
また望ましくは、上記非同期移動通信システムから上記同期移動通信システムへのハンドオーバー要請は、上記移動通信端末の非同期識別番号（ＭＳＩＳＤＮ）を含む。また、上記ハンドオーバー要請において、上記非同期交換機が上記同期交換機に伝送するハンドオーバー要請メッセージは、ビリングＩＤ、ＥＳＮ、内部交換機サーキットＩＤ、ＭＩＮパラメーターのうち一つ以上を含み、上記同期移動通信システムによる上記ハンドオーバー要請に対する応答メッセージは、ＣＤＭＡチャンネルデータパラメーター、またはＣＤＭＡチャンネルリストパラメーターを含む。
【００１４】
本発明の第２観点によるハンドオーバー方法は、非同期移動通信システムと同期移動通信システムが混在している移動通信システムで、上記非同期移動通信システム及び同期移動通信システムと通信可能なデュアルバンドデュアルモード移動通信端末の音声通話時の黙音区間を最小化するためのハンドオーバー方法において、上記移動通信端末のハンドオーバー要請によって、上記非同期移動通信システムが上記同期移動通信システムにハンドオーバーを要請する段階；上記同期移動通信システムの基地局／基地局制御機が上記移動通信端末に順方向トラフィックチャンネルを割り当て、同期交換機にハンドオーバー要請に対する応答メッセージを伝送する段階；上記同期交換機が非同期交換機にハンドオーバー要請に対する応答メッセージを伝送し、上記非同期交換機と同期交換機との間に中継線が設定される段階；上記非同期交換機が上記非同期移動通信システムの無線網制御機にハンドオーバーのための資源割当が完了したことを報告する段階；上記無線網制御機がノードＢを介して上記移動通信端末にハンドオーバーを指示し、上記移動通信端末が同期移動通信システム接続モードに切り替えられるようにする段階；上記移動通信端末が上記基地局／基地局制御機に逆方向トラフィックチャンネルを介してフレームまたはプリアンブルを伝送し、ハンドオーバーが完了したことを報告する段階；上記移動通信端末が同期移動通信システムとの接続完了に伴い、タイマーを駆動する段階；上記基地局／基地局制御機が上記同期交換機を通して上記非同期交換機にハンドオーバーが完了したことを報告する段階；上記移動通信端末がタイマー駆動を満了してボコーダーを切り替える段階；上記非同期交換機と同期交換機のボコーダーを切り替える段階；及び上記非同期交換機と上記ノードＢ／無線網制御機との間の接続を解除する段階；を含む。
【００１５】
望ましくは、上記非同期移動通信システムと上記同期移動通信システムとの間の接続を解除する段階は、上記非同期交換機が上記ノードＢ／無線網制御機に接続解除を要請した後、上記非同期交換機が上記ノードＢ／無線網制御機から接続解除が完了したことを受信する段階で構成される。
【００１６】
望ましくは、上記無線網制御機が上記非同期交換機にハンドオーバー要請メッセージを伝送する段階は、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを有する。
【００１７】
また望ましくは、上記方法は、上記非同期交換機が上記移動通信端末の隣接セル情報、隣接基地局情報を参照して、非同期移動通信システム内のハンドオーバーであるか、又は同期移動通信システムへのハンドオーバーであるかを判断する段階を更に含む。
【００１８】
また望ましくは、上記非同期交換機から上記同期交換機へのハンドオーバー要請メッセージは、上記移動通信端末の非同期識別番号（ＭＳＩＳＤＮ）を含み、上記ハンドオーバー指示メッセージを伝送する前に、上記非同期交換機と接続すべき同期交換機のＩＤ情報を含むビリング（Ｂｉｌｌｉｎｇ）ＩＤ、及びハンドオーバー区間別内部交換機サーキットＩＤ（Ｉｎｔｅｒ  ＭＳＣ  Ｃｉｒｃｕｉｔ  ＩＤ）が伝送される。また、上記ハンドオーバー要請メッセージは、ビリングＩＤ、ＥＳＮ、内部交換機サーキットＩＤ、ＭＩＮを含むパラメーターを有し、上記同期交換機が上記非同期交換機に伝送する応答メッセージは、ＣＤＭＡチャンネルデータ、ＣＤＭＡチャンネルリストを含むパラメーターを有する。また、上記資源割当完了メッセージは、メッセージタイプ、ＲＲＣコンテナ、解除すべきＲＡＢリストを含むパラメーターを有する。
【００１９】
望ましくは、上記方法では、上記非同期交換機とノードＢ／無線網制御機との接続が解除される段階以後、着信または発信移動通信端末から交換機に呼解除要請が送信されて上記呼解除要請を受信した交換機が相手交換機に呼解除要請メッセージを伝送し、相手交換機がこれに応答することによって上記非同期交換機と同期交換機との間に設定されていた中継線が解除される。
【００２０】
本発明の第３観点によるハンドオーバー方法は、非同期移動通信システムと同期移動通信システムが混在しており、上記非同期移動通信システムと同期移動通信システムとが相互連動運用部によって接続される移動通信システムで、上記非同期移動通信システム及び同期移動通信システムと通信可能なデュアルバンドデュアルモード移動通信端末の音声通話時における黙音区間を最小化するためのハンドオーバー方法において、上記非同期交換機が上記相互連動運用部にハンドオーバー要請メッセージを伝送し、上記相互連動運用部がデュアルスタックホーム位置登録機に上記移動通信端末の加入者情報の伝送を要請して受信する段階；上記相互連動運用部が上記同期交換機にハンドオーバーを指示し、上記同期交換機が上記基地局／基地局制御機にハンドオーバーを要請する段階；上記基地局／基地局制御機が上記移動通信端末に順方向トラフィックチャンネルを割り当て、上記同期交換機にハンドオーバー要請に対する応答メッセージを伝送する段階；上記同期交換機が上記相互連動運用部にハンドオーバー指示に対する応答メッセージを伝送し、上記相互連動運用部が上記非同期交換機にハンドオーバー要請に対する応答メッセージを伝送することで、上記非同期交換機と同期交換機との間に中継線が設定される段階；上記非同期交換機が上記無線網制御機にハンドオーバーのための資源割当が完了したことを報告する段階；上記無線網制御機が上記ノードＢを通して上記移動通信端末にハンドオーバーを指示し、上記移動通信端末が同期移動通信システム接続モードに切り替えられるようにする段階；上記相互連動運用部が上記非同期交換機にアクセス信号を伝送する段階；上記移動通信端末が上記基地局／基地局制御機に逆方向トラフィックチャンネルを通してフレーム及びプリアンブルを伝送し、ハンドオーバーが完了したことを報告する段階；上記移動通信端末が同期移動通信システムとの接続完了に伴いタイマーを駆動する段階；上記基地局／基地局制御機が上記同期交換機にハンドオーバーが完了したことを報告し、上記同期交換機が上記相互連動運用部にハンドオーバーが完了したことを通報する段階；上記移動通信端末がタイマー駆動を満了してボコーダーを切り替える段階；上記非同期交換機と同期交換機のボコーダーを切り替える段階；及び上記非同期交換機と上記ノードＢ／無線網制御機との接続を解除する段階；を含む。
【００２１】
望ましくは、上記ハンドオーバー要請メッセージは、上記同期移動通信システムで使用するハンドオーバー関連メッセージ、上記移動通信端末の隣接セル情報及びその隣接基地局情報、ハンドオーバータイプ、ハンドオーバー原因、ソース基地局制御機ＩＤ、ターゲット基地局制御機ＩＤ、ＲＡＢ情報、及び無線区間関連情報を含むパラメーターを有する。
【００２２】
望ましくは、上記方法は、上記非同期交換機が上記移動通信端末の隣接セル情報、隣接基地局情報を基に、非同期移動通信システム内のハンドオーバーであるか、又は同期移動通信システムへのハンドオーバーであるかを判断する段階を更に含む。
【００２３】
また望ましくは、上記相互連動運用部が上記デュアルスタックホーム位置登録機から受信する加入者情報は、上記移動通信端末の同期網識別者（ＭＩＮ，ＥＳＮ）を含む。また、上記相互連動運用部が上記デュアルスタックホーム位置登録機に上記移動通信端末の加入者情報を要請する段階は、同期メッセージまたは非同期メッセージのうちのどちらか一方を利用する。また望ましくは、上記相互連動運用部は、上記同期交換機にハンドオーバー指示メッセージを伝送する前に、上記非同期交換機と接続すべき同期交換機のＩＤ情報を含むビリング（Ｂｉｌｌｉｎｇ）ＩＤと、ハンドオーバー区間別内部交換機サーキットＩＤ（Ｉｎｔｅｒ  ＭＳＣ  Ｃｉｒｃｕｉｔ  ＩＤ）を生成し、これらをハンドオーバー指示メッセージとともに伝送する。
【００２４】
望ましくは、上記相互連動運用部が上記同期交換機に伝送するハンドオーバー要請メッセージは、ビリングＩＤ、ＥＳＮ、内部交換機サーキットＩＤ、ＭＩＮを含むパラメーターを有し、上記同期交換機が上記相互連動運用部に伝送する応答メッセージは、ＣＤＭＡチャンネルデータ、ＣＤＭＡチャンネルリストを含むパラメーターを有する。
【００２５】
また、上記資源割当完了メッセージは、メッセージタイプ、ＲＲＣコンテナ、解除すべきＲＡＢリストを含むパラメーターを有する。また、上記アクセス信号は、インボークＩＤ、応用プロトコルデータ単位（ＡＰＤＵ）、選択された無線資源情報を含む。
【００２６】
望ましくは、上記非同期交換機とノードＢ／無線網制御機との接続が解除される段階以後、上記方法は、着信または発信移動通信端末から交換機に呼解除要請が送信され、上記呼解除要請を受信した交換機が上記相互連動運用部に呼解除要請メッセージを伝送し、上記相互連動運用部がこれに応答することで上記非同期交換機と上記同期交換機との間に設定されていた中継線を解除する。より望ましくは、上記呼解除要請メッセージは、内部ＭＳＣサーキットＩＤ、解除理由、ビリングＩＤ、ＭＩＮを含むパラメーターを有し、上記応答メッセージはビリングＩＤを有する。
【００２７】
本発明の第４観点によるハンドオーバー方法は、非同期移動通信システムと同期移動通信システムが混在しており、上記非同期移動通信システムと同期移動通信システムが相互連動運用部によって接続される移動通信システムで、上記非同期移動通信システム及び同期移動通信システムと通信可能なデュアルバンドデュアルモード移動通信端末の音声通話時における黙音区間を最小化するためのハンドオーバー方法において、上記非同期交換機が上記相互連動運用部にハンドオーバー要請メッセージを伝送し、上記相互連動運用部が上記デュアルスタックホーム位置登録機に上記移動通信端末の加入者情報の伝送を要請して受信する段階；上記相互連動運用部が上記同期交換機にハンドオーバーを指示し、上記同期交換機が上記基地局／基地局制御機にハンドオーバーを要請する段階；上記基地局／基地局制御機が上記移動通信端末に順方向トラフィックチャンネルを割り当て、上記同期交換機にハンドオーバー要請に対する応答メッセージを伝送する段階；上記同期交換機が上記相互連動運用部にハンドオーバー指示に対する応答メッセージを伝送し、上記相互連動運用部が上記非同期交換機にハンドオーバー要請に対する応答メッセージを伝送することで上記非同期交換機と同期交換機との間に中継線が設定される段階；上記非同期交換機が上記相互連動運用部に初期住所メッセージを伝送してこれに対する応答を受信し、上記非同期交換機と同期交換機との間にトランク設定が行われる段階；上記非同期交換機が上記無線網制御機にハンドオーバーのための資源割当が完了したことを報告する段階；上記無線網制御機が上記ノードＢを介して上記移動通信端末にハンドオーバーを指示し、上記移動通信端末が同期移動通信システム接続モードに切替える段階；上記相互連動運用部が上記非同期交換機にアクセス信号を伝送する段階；上記移動通信端末が上記基地局／基地局制御機に逆方向トラフィックチャンネルを介してフレームまたはプリアンブルを伝送し、ハンドオーバーが完了したことを報告する段階；上記移動通信端末が同期移動通信システムとの接続完了に伴い、タイマーを駆動する段階；上記基地局／基地局制御機が上記同期交換機にハンドオーバーが完了したことを報告し、上記同期交換機が上記相互連動運用部にハンドオーバーが完了したことを通報する段階；上記移動通信端末がタイマー駆動を満了してボコーダーを切り替える段階；上記非同期交換機と同期交換機のボコーダーを切り替える段階；及び上記非同期交換機とノードＢ／無線網制御機との接続を解除する段階；を含む。
【００２８】
望ましくは、上記非同期交換機と同期交換機との間にトランク設定が行われる段階は、上記非同期交換機が上記相互連動運用部にＩＳＵＰメッセージであるＩＡＭ（Ｉｎｉｔｉａｌ  Ａｄｄｒｅｓｓ  Ｍｅｓｓａｇｅ）を伝送し、上記相互連動運用部が上記非同期交換機にＩＳＵＰメッセージであるＡＣＭ（Ａｄｄｒｅｓｓ  Ｃｏｍｐｌｅｔｉｏｎ  Ｍｅｓｓａｇｅ）を伝送することで実現される。また、望ましくは、上記非同期交換機とノードＢ／無線網制御機との接続を解除する段階は、上記相互連動運用部が上記非同期交換機に接続の解除を要請し、ＩＳＵＰメッセージを用いて上記同期交換機と上記移動通信端末とが接続されたことを報告する段階；及び上記非同期交換機とノードＢ／無線網制御機との接続が解除される段階；を含む。
【００２９】
また望ましくは、上記非同期交換機とノードＢ／無線網制御機との接続を解除する段階以後、上記方法は、非同期移動通信システム領域における移動通信端末の呼解除に従って上記非同期交換機と同期交換機との間の呼が解除される段階；上記非同期交換機と同期交換機とのトランク接続が解除される段階；及び上記非同期交換機が上記相互連動運用部に接続解除が完了したことを報告するに従い、上記相互連動運用部が上記同期交換機に呼解除要請メッセージを伝送し、上記同期交換機が上記呼解除要請メッセージに応答することにより上記中継線設定が解除される段階；を更に含む。
【００３０】
より望ましくは、上記呼解除要請メッセージは、内部ＭＳＣサーキットＩＤ、解除理由、ビリングＩＤ、ＭＩＮを含むパラメーターを有し、上記応答メッセージはビリングＩＤを含むパラメーターを有する。
【００３１】
（発明を実施するための最良の形態）
以下、本発明の実施例を通して本発明をより詳細に説明する。
【実施例１】
【００３２】
図１は、本発明が適用される非同期移動通信システム及び同期移動通信システムが混在する移動通信網の一例を示す図面である。
【００３３】
図２及び図３は、図１に示す移動通信網での本発明の一実施例によるインターシステムハンドオーバー過程を説明するためのフローチャートである。
【００３４】
図１を参照すると、本発明が適用される移動通信端末１０は、デュアルバンドまたはデュアルモード移動通信端末であって、非同期移動通信サービス及び同期移動通信サービスが同時に提供可能な形態であり、同期移動通信サービスのためのモジュールである同期モデム部、非同期移動通信サービスのためのモジュールである非同期モデム部、及び共通モジュールを含んでなり、非同期移動通信システム２０及び同期移動通信システム３０とそれぞれ無線接続して音声及びデータサービスを利用することができる。また、上記移動通信端末１０は、本発明によるタイマーを含む。上記移動通信端末１０は、後で詳しく説明するように、ハンドオーバー指示を受信すると、所定の時間に設定された上記タイマーを駆動し該タイマーの設定時間が満了すると、上記移動通信端末のボコーダーを切り替える。
【００３５】
非同期移動通信システム２０は、移動通信端末１０との無線区間通信のための基地局としてのノードＢ、及び該ノードＢの制御のための無線網制御機（ノードＢ／ＲＮＣ；２１０）、ノードＢ／ＲＮＣ２１０と連結されて移動通信端末１０にサービスを提供するための呼交換を行う非同期交換機（ＭＳＣ；２２０）、無線網制御機（ＲＮＣ）とＧＰＲＳ（Ｇｅｎｅｒａｌ  Ｐａｃｋｅｔ  Ｒａｄｉｏ  Ｓｅｒｖｉｃｅ）網２４０との間に連結されて移動通信端末１０の位置トラックを維持しアクセス制御及び保安機能を行うＳＧＳＮ（Ｓｅｒｖｉｎｇ  ＧＰＲＳ  Ｓｕｐｐｏｒｔ  Ｎｏｄｅ；２３０）、及びＳＧＳＮ２３０とＧＰＲＳ（Ｇｅｎｅｒａｌ  Ｐａｃｋｅｔ  Ｒａｄｉｏ  Ｓｅｒｖｉｃｅ）網２４０を介して連結され、ＩＰ網７０に接続されて外部パケットとの連動を支援するＧＧＳＮ（Ｇａｔｅｗａｙ  ＧＰＲＳ  Ｓｕｐｐｏｒｔ  Ｎｏｄｅ；２５０）を含む。
【００３６】
また、同期移動通信システム３０は、移動通信端末１０との無線区間通信を支援する基地局及び基地局を制御するための基地局制御機（ＢＴＳ／ＢＳＣ；３１０）、一つ以上の基地局制御機と連結されて呼交換を行うための同期交換機（ＭＳＣ；３２０）、基地局制御機（ＢＳＣ）と接続され加入者にパケットデータサービスを提供するためのパケットデータサービスノード（ＰＤＳＮ；３３０）、及びパケットデータサービスノード３３０とＩＰ網７０との接続を支援するためのデータコア網（ＤＣＮ；３４０）を含んでなる。
【００３７】
非同期交換機２２０及び同期交換機３２０はまた、Ｎｏ．７共通信号網４０に相互接続され、これを介してデュアルスタックホーム位置登録機（Ｄ−ＨＬＲ；５０）と接続されており、デュアルスタックホーム位置登録機５０は、ＤＢＤＭ移動通信端末１０の非同期移動通信システム加入情報及びこれに対応する同期移動通信システム加入情報を保存及び管理して、非同期及び同期交換機２２０及び３２０のハンドオーバーなどのサービス時に参照し得るようにする。
【００３８】
このようなネットワーク構成において、非同期移動通信システム２０領域に位置して音声通話を利用している移動通信端末１０は、現在接続されているノードＢからの信号強度、及び隣接基地局と送受信する信号強度を周期的に測定してノードＢに報告し、ノードＢからの信号強度が指定された閾値以下に低下すると、ノードＢはＲＮＣを通して非同期交換機２２０にハンドオーバーイベントが発生したことを報告する。この時、ノードＢ／ＲＮＣ２１０は、非同期交換機２２０に移動通信端末１０が検出した隣接セル情報、基地局ＩＤなどを共に伝送する。
【００３９】
非同期交換機２２０は、ＲＮＣからハンドオーバー要請メッセージを受信すると、ＲＮＣから受信した隣接セル情報、基地局ＩＤなどを参照して非同期移動通信システム２０内の隣接セル間ハンドオーバーであるか、又は同期移動通信システム３０へのハンドオーバーであるかを判断する。
【００４０】
非同期移動通信システム２０内の隣接セル間ハンドオーバーである場合、非同期交換機２２０は隣接セルへのハンドオーバーを行い、同期移動通信システム３０へのハンドオーバーである場合には、同期交換機３２０にハンドオーバーがなされるようにする。このためには、非同期交換機２２０は、非同期メッセージを同期メッセージに変換して同期交換機３２０に伝送し、同期移動通信システム情報を予めデータベースとして構築して管理しなければならない。
【００４１】
次に、図２及び図３を参照して図１のシステムにおけるインターシステムハンドオーバー過程をより詳しく説明する。
【００４２】
図２及び図３を参照すると、非同期移動通信システム２０領域で音声通話を利用していた移動通信端末１０が同期移動通信システム３０領域へ移動するにつれて、移動通信端末１０は同期移動通信システム３０からの信号を感知するようになり、非同期移動通信システム２０のノードＢからの信号強度、及び隣接基地局（またはノードＢ）との信号強度を周期的に測定してノードＢに報告する。これに従い、現在移動通信端末１０と接続されているノードＢにおいて移動通信端末とノードＢとの信号強度が指定された値以下であることを確認すると、ＲＮＣを通して非同期交換機２２０にハンドオーバーを要請する（ＩＵ  Ｒｅｌｏｃ  Ｒｅｑｕｉｒｅｄ）（Ｓ１０１）。
【００４３】
上記ハンドオーバー要請メッセージ（ＩＵ  Ｒｅｌｏｃ  Ｒｅｑｕｉｒｅｄ）は同期移動通信システムで使用するハンドオーバー関連メッセージを含む。また、ＲＮＣは、移動通信端末１０から受信した隣接基地局情報（基地局ＩＤ）、隣接セル情報などを共に伝送し、非同期交換機２２０は上記情報を基に非同期移動通信システム内の隣接セル間ハンドオーバーであるか、又は同期移動通信システム３０へのハンドオーバーであるかを判断するようになる。
【００４４】
ハンドオーバー要請メッセージを受信した非同期交換機２２０は、同期交換機３２０にハンドオーバーを指示し（Ｆａｃｉｌｉｔｉｅｓ  Ｄｉｒｅｃｔｉｖｅ２）（Ｓ１０２）、同期交換機３２０は基地局／基地局制御機３１０にハンドオーバーを要請する（Ｈａｎｄｏｆｆ  Ｒｅｑｕｅｓｔ）（Ｓ１０３）。
【００４５】
ここで、非同期交換機２２０は、同期交換機３２０にハンドオーバー指示メッセージ（Ｆａｃｉｌｉｔｉｅｓ  Ｄｉｒｅｃｔｉｖｅ２）を伝送する前に、ビリング（Ｂｉｌｌｉｎｇ）ＩＤを生成してハンドオーバー指示メッセージ（Ｆａｃｉｌｉｔｉｅｓ  Ｄｉｒｅｃｔｉｖｅ２）に含ませるともに、ハンドオーバー区間別内部交換機サーキットＩＤ（Ｉｎｔｅｒ  ＭＳＣ  Ｃｉｒｃｕｉｔ  ＩＤ）もハンドオーバー指示メッセージに含ませて伝送する。ここで、ビリングＩＤは、非同期交換機２２０と接続する同期交換機３２０のＩＤ情報を含む。
【００４６】
同期交換機３２０からハンドオーバー要請を受けた基地局／基地局制御機３１０は、順方向トラフィックチャンネルを通して移動通信端末の同期モデム部にＮＵＬＬフレームを伝送（Ｎｕｌｌ  Ｆｏｒｗａｒｄ  Ｔｒａｆｆｉｃ  Ｃｈａｎｎｅｌ  ｆｒａｍｅｓ）することで順方向チャンネルが割り当てられ（Ｓ１０４）、続いて基地局／基地局制御機３１０は同期交換機３２０にハンドオーバー要請に対する応答メッセージ（Ｈａｎｄｏｆｆ  Ｒｅｑｕｅｓｔ  Ａｃｋ）を伝送する（Ｓ１０５）。また、同期交換機３２０は非同期交換機２２０にハンドオーバー指示に対する応答メッセージ（Ｆａｃｉｌｉｔｉｅｓ  Ｄｉｒｅｃｔｉｖｅ２  Ａｃｋ）を伝送する（Ｓ１０６）。これに伴い、非同期交換機２２０と同期交換機３２０との間に中継線が設定されるようになる。
【００４７】
中継線設定過程についてより具体的に説明すると、非同期交換機２２０は、論理的な中継線設定識別者であるデディケートチャンネルと物理的な中継線とのマッピング関係を設定し、この情報をハンドオーバー要請メッセージ（Ｆａｃｉｌｉｔｉｅｓ  Ｄｉｒｅｃｔｉｖｅ２）の内部交換機サーキットＩＤ（Ｉｎｔｅｒ  ＭＳＣ  Ｃｉｒｃｕｉｔ  ＩＤ）として設定して同期交換機３２０に伝送し、同期交換機３２０から応答メッセージ（Ｆａｃｉｌｉｔｉｅｓ  Ｄｉｒｅｃｔｉｖｅ２  Ａｃｋ）が伝送されると、非同期交換機２２０と同期交換機３２０との間に中継線が設定されるものである。非同期交換機２２０と同期交換機３２０との間で送受信されるハンドオーバー要請メッセージ（Ｆａｃｉｌｉｔｉｅｓ  Ｄｉｒｅｃｔｉｖｅ２）は、ビリングＩＤ、ＥＳＮ、内部交換機サーキットＩＤ、ＭＩＮなどのようなパラメーターを含み、その応答メッセージ（Ｆａｃｉｌｉｔｉｅｓ  Ｄｉｒｅｃｔｉｖｅ２  Ａｃｋ）はＣＤＭＡチャンネルデータ、ＣＤＭＡチャンネルリストなどのようなパラメーターを含む。
【００４８】
このように、交換機間に中継線が設定された後、非同期交換機２２０はノードＢ／ＲＮＣ２１０にハンドオーバーのための資源割当が完了したことを報告し（ＩＵ  Ｒｅｌｏｃａｔｉｏｎ  Ｃｏｍｍａｎｄ）（Ｓ１０７）、これを受信したノードＢ／ＲＮＣ２１０は移動通信端末１０の非同期モデム部にハンドオーバーを行うことを要請する（Ｈａｎｄｏｖｅｒ  ｆｒｏｍ  ＵＴＲＡＮ  Ｃｏｍｍａｎｄ）（Ｓ１０８）。
【００４９】
その後、移動通信端末の非同期モデム部は同期モデム部にチャンネル割当情報を伝送し（Ｃｈａｎｎｅｌ  Ａｓｓｉｇｎｍｅｎｔ）（Ｓ１０９）、移動通信端末の同期モデム部は、同期移動通信システムの基地局／基地局制御機３１０に逆方向トラフィックチャンネルを通してフレームまたはプリアンブルを伝送した後（Ｒｅｖｅｒｓｅ  Ｔｒａｆｆｉｃ  Ｃｈａｎｎｅｌ  Ｆｒａｍｅｓ  ｏｒ  Ｔｒａｆｆｉｃ  Ｃｈａｎｎｅｌ  Ｐｒｅａｍｂｌｅ）（Ｓ１１０）、ハンドオーバーが完了したことを報告し（Ｈａｎｄｏｆｆ  Ｃｏｍｐｌｅｔｉｏｎ  Ｍｅｓｓａｇｅ）（Ｓ１１１）、これを受信した基地局／基地局制御機３１０はこれに対する応答信号を伝送するようになる（ＢＳ  Ａｃｋ  Ｏｒｄｅｒ）（Ｓ１１２）。すると、同期モデム部は非同期モデム部に同期移動通信システムとの接続が完了したことを通報する（Ｃａｌｌ  Ｃｏｎｎｅｃｔｉｏｎ）（Ｓ１１３）。
【００５０】
現在では、移動通信端末の同期モデム部が同期移動通信システムとの接続が完了する段階（Ｓ１１３）以後にボコーダーを切り替えるが、このようにすると、移動通信システムがボコーダーを切り替える時点に達するまでの間に黙音区間が発生し、かかることから本発明では、移動通信システムのボコーダー切替時点に移動通信端末のボコーダーを切り替えるために、移動通信端末が指定された時間にセッティングされたタイマーを駆動するようにする（Ｓ１１４）。
【００５１】
一方、基地局／基地局制御機３１０は同期交換機３２０にハンドオーバーが完了したことを報告し（Ｈａｎｄｏｆｆ  Ｃｏｍｐｌｅｔｅ）（Ｓ１１５）、同期交換機３２０は非同期交換機２２０にハンドオーバーが完了したことを通報する（Ｍｏｂｉｌｅ  Ｏｎ  Ｃｈａｎｎｅｌ）（Ｓ１１６）。
【００５２】
移動通信システムのボコーダー切替時点は、非同期交換機２２０が同期交換機３２０からハンドオーバーが完了したことを報告される段階（Ｓ１１６）以後に行われ、本発明では移動通信端末の同期モデム部が非同期モデム部に同期移動通信システムとの接続完了を報告した後、非同期交換機が同期交換機からハンドオーバーの完了を報告する時間の間移動通信端末のタイマーを駆動させ、タイマー駆動が完了すると、移動通信端末のボコーダーを切り替えると同時に（Ｓ１１７）、移動通信システムのボコーダーも切り替えるようにする（Ｓ１１８）。
【００５３】
これにより、移動通信端末及び移動通信システムのボコーダーを同時に切り替え黙音区間の発生を最小化することができる。
【００５４】
続いて、非同期交換機２２０がノードＢ／ＲＮＣに接続解除を要請し、非同期交換機２２０がそれに対する応答を受信するにつれて、非同期交換機２２０とノードＢ／ＲＮＣとの接続が解除される（ＩＵ  Ｒｅｌｅａｓｅ  Ｃｏｍｍａｎｄ，ＩＵ  Ｒｅｌｅａｓｅ  Ｃｏｍｐｌｅｔｅ）（Ｓ１１９，Ｓ１２０）。
【００５５】
次いで、非同期移動通信システムで音声通話中の移動通信端末に対する同期移動通信システムへのハンドオーバーが完了した後は、通話中の２つの移動通信端末のどちらか一方からの要請により呼解除が行われる（Ｓ１２１）。呼解除は非同期移動通信システム領域にいる加入者の移動通信端末から要請されてもよく、同期移動通信システム領域にハンドオーバーした加入者の移動通信端末から要請されてもよい。
【００５６】
非同期移動通信システム領域に位置する移動通信端末が呼を解除した場合には、非同期交換機２２０が同期交換機に呼解除要請メッセージ（Ｆａｃｉｌｉｔｉｅｓ  Ｒｅｌｅａｓｅ）を伝送し、このメッセージを受信した同期交換機３２０がこれに応答することによって（Ｆａｃｉｌｉｔｉｅｓ  Ａｃｋ）、交換機間に設定されていた中継線設定が解除されるようになる。
【実施例２】
【００５７】
図４は、本発明が適用される非同期移動通信システム及び同期移動通信システムが混在する移動通信網の他の例を示す図面である。
【００５８】
図５及び図６は、図４に示す移動通信網での本発明の他の実施例によるインターシステムハンドオーバー過程を説明するためのフローチャートである。
【００５９】
図４において、図１と同じ部分については同じ図面符号を付けてその詳細な説明は省略する。
【００６０】
図４を参照すると、図１とは違って非同期移動通信システム２０及び同期移動通信システム３０の交換機２６０及び３６０は、相互連動運用部（Ｉｎｔｅｒｗｏｒｋｉｎｇ  Ｉｎｔｅｒｏｐｅｒａｂｉｌｉｔｙ  Ｆｕｎｃｔｉｏｎ；ＩＩＦ）６０により相互接続され、上記相互連動運用部６０は非同期交換機２６０から伝送される非同期メッセージを同期メッセージに変換して同期交換機３６０に伝送し、同期移動通信システム情報をデータベースとして構築して管理する。
【００６１】
このようなネットワーク構成において、非同期移動通信システム２０領域に位置して音声通話を利用している移動通信端末１０は、ノードＢからの信号強度、及び隣接基地局との信号強度を周期的に測定してノードＢに報告し、ノードＢからの信号強度が指定された閾値以下に低下すると、ノードＢはＲＮＣを通して非同期交換機２６０にハンドオーバーイベントが発生したことを報告する。この時、ノードＢ／ＲＮＣ２１０は、非同期交換機２６０に移動通信端末１０が検出した隣接セル情報、基地局ＩＤなどを共に伝送する。
【００６２】
非同期交換機２６０は、ＲＮＣからハンドオーバー要請メッセージを受信すると、ＲＮＣから受信した隣接セル情報、基地局ＩＤなどを参照して非同期移動通信システム２０内の隣接セル間ハンドオーバーであるか、又は同期移動通信システム３０へのハンドオーバーであるかを判断する。
【００６３】
非同期移動通信システム２０内の隣接セル間ハンドオーバーである場合、非同期交換機２６０は隣接セルへのハンドオーバーを行う一方、同期移動通信システム３０へのハンドオーバーである場合には、ＩＩＦ６０を通して同期交換機３６０へのハンドオーバーを行う。このために、ＩＩＦ６０は、非同期メッセージを同期メッセージに変換して同期交換機３６０に伝送し、同期移動通信システム情報をデータベースとして予め構築して管理すべきである。このデータベースには交換機情報、信号点、デディケートチャンネル（Ｄｅｄｉｃａｔｅ  Ｃｈａｎｎｅｌ）関連中継線情報などが含まれる。ＩＩＦ６０は、非同期交換機２６０からのハンドオーバー要請と同期移動通信システム情報によってハンドオーバー対象交換機を選択し、ハンドオーバー対象交換機ＩＤなどを含むビリング（Ｂｉｌｌｉｎｇ）ＩＤを生成して以後のハンドオーバー過程で活用する。
【００６４】
図４に示すシステムでのハンドオーバー過程を、図５及び図６を参照してより詳しく説明する。
【００６５】
図５及び図６を参照すると、非同期移動通信システム２０領域で音声通話を利用していた移動通信端末１０が同期移動通信システム３０領域へ移動するにつれて、移動通信端末１０は、同期移動通信システム３０からの信号を感知するようになり、非同期移動通信システム２０のノードＢからの信号強度、及び隣接基地局（またはノードＢ）との信号強度を周期的に測定してノードＢに報告する。これに伴い、現在移動通信端末１０と接続されているノードＢで移動通信端末とノードＢとの信号強度が指定された値以下であることを確認すると、ＲＮＣを通して非同期交換機２６０にハンドオーバーを要請する（ＩＵ  Ｒｅｌｏｃ  Ｒｅｑｕｉｒｅｄ）（Ｓ５０１）。
【００６６】
このハンドオーバー要請メッセージ（ＩＵ  Ｒｅｌｏｃ  Ｒｅｑｕｉｒｅｄ）は、同期移動通信システムで使用するハンドオーバー関連メッセージを含む。また、ＲＮＣは、移動通信端末１０から受信した隣接基地局情報（基地局ＩＤ）、隣接セル情報などを共に伝送し、非同期交換機２６０は上記情報を基に非同期移動通信システム内の隣接セル間ハンドオーバーであるか、又は同期移動通信システム３０へのハンドオーバーであるかを判断するようになる。ＲＮＣから非同期交換機２６０に伝送されるハンドオーバー要請メッセージ（ＩＵ  Ｒｅｌｏｃ  Ｒｅｑｕｉｒｅｄ）は、メッセージタイプ、ハンドオーバータイプ、ハンドオーバー原因、ソース基地局制御機ＩＤ、ターゲット基地局制御機ＩＤ、ＲＡＢ（Ｒａｄｉｏ  Ａｃｃｅｓｓ  Ｂｅａｒｅｒ）情報、及び無線区間関連情報のなどのパラメーターを含む。
【００６７】
ハンドオーバー要請メッセージを受信した非同期交換機２６０は、相互連動運用部６０にハンドオーバーを要請する非同期メッセージを伝送する（ＭＡＰ  Ｐｒｅｐ  Ｈａｎｄｏｖｅｒ  Ｒｅｑ）（Ｓ５０２）。この時、上記非同期メッセージに拡張コンテナを追加して移動通信端末１０の非同期識別番号（ＭＳＩＳＤＮ）を共に伝送し、このメッセージはインボークＩＤ、ターゲットセルＩＤ、ターゲット無線網制御機ＩＤ、ＭＳＩＳＤＮなどのようなパラメーターを含む。
【００６８】
以後、相互連動運用部６０は非同期交換機２６０から受信した非同期加入者情報（ＭＳＩＳＤＮ）を参照して、デュアルスタックホーム位置登録機５０に加入者情報を伝送してくれることを要請する（Ｃａｌｌ  Ｄａｔａ  Ｒｅｑｕｅｓｔ）（Ｓ１０３）。すなわち、移動通信端末１０の同期網識別者（ＭＩＮ，ＥＳＮ）を要請するものである。段階Ｓ５０３で相互連動運用部６０はデュアルスタックホーム位置登録機５０に、非同期メッセージ（ＭＡＰ＿ＳＥＮＤ＿ＩＭＳＩ）を利用して加入者の同期網識別者情報を要請することも可能である。
【００６９】
相互連動運用部６０の加入者情報の要請を受けたデュアルスタックホーム位置登録機５０は、データベースを照会し該当加入者の同期網識別者情報（ＭＩＮ，ＥＳＮ）を抽出して相互連動運用部６０に伝送し（Ｃａｌｌ  Ｄａｔａ  Ｒｅｑ  Ａｃｋ）（Ｓ１０４）、これを受信した相互連動運用部６０は同期交換機３６０にハンドオーバーを指示し（Ｆａｃｉｌｉｔｉｅｓ  Ｄｉｒｅｃｔｉｖｅ２）（Ｓ５０５）、同期交換機３６０は基地局／基地局制御機３１０にハンドオーバーを要請する（Ｈａｎｄｏｆｆ  Ｒｅｑｕｅｓｔ）（Ｓ５０６）。ここで、加入者の同期網識別者情報を要請する同期網メッセージ（Ｃａｌｌ  Ｄａｔａ  Ｒｅｑｕｅｓｔ）は、ビリングＩＤ、ディジット（すなわち、ＭＳＩＳＤＮ）などのパラメーターを含み、その応答メッセージ（Ｃａｌｌ  Ｄａｔａ  Ｒｅｑ  Ａｃｋ）はＥＳＮ、ＭＩＮ、ＭＳＣＩＤなどのパラメーターを含む。
【００７０】
一方、加入者の同期網識別者情報の要請時に非同期メッセージ（ＭＡＰ＿ＳＥＮＤ＿ＩＭＳＩ）を利用する場合、この非同期メッセージに含まれるパラメーターは、インボークＩＤ、ＭＳＩＳＤＮ、ＩＭＳＩ、ＥＳＮなどを含む。
【００７１】
このように、相互連動運用部６０は同期交換機３６０にハンドオーバー指示メッセージ（Ｆａｃｉｌｉｔｉｅｓ  Ｄｉｒｅｃｔｉｖｅ２）を伝送する前に、ビリング（Ｂｉｌｌｉｎｇ）ＩＤを生成してハンドオーバー指示メッセージ（Ｆａｃｉｌｉｔｉｅｓ  Ｄｉｒｅｃｔｉｖｅ２）に含ませ、ハンドオーバー区間別内部交換機サーキットＩＤ（Ｉｎｔｅｒ  ＭＳＣ  Ｃｉｒｃｕｉｔ  ＩＤ）を含ませて伝送する。ここで、ビリングＩＤは、非同期交換機２６０と接続する同期交換機３６０のＩＤ情報を含む。
【００７２】
同期交換機３６０からハンドオーバー要請を受けた基地局／基地局制御機３１０は、順方向トラフィックチャンネルを通して移動通信端末の同期モデム部にＮＵＬＬフレームを伝送（Ｎｕｌｌ  Ｆｏｒｗａｒｄ  Ｔｒａｆｆｉｃ  Ｃｈａｎｎｅｌ  ｆｒａｍｅｓ）することで順方向チャンネルが割り当てられ（Ｓ５０７）、続いて基地局／基地局制御機３１０は同期交換機３６０にハンドオーバー要請に対する応答メッセージ（Ｈａｎｄｏｆｆ  Ｒｅｑｕｅｓｔ  Ａｃｋ）を伝送する（Ｓ５０８）。また、同期交換機３６０は相互連動運用部６０にハンドオーバー指示に対する応答メッセージ（Ｆａｃｉｌｉｔｉｅｓ  Ｄｉｒｅｃｔｉｖｅ２  Ａｃｋ）を伝送し（Ｓ５０９）、相互連動運用部６０は非同期交換機２６０に対して段階Ｓ５０２のハンドオーバー要請に対する応答メッセージ（ＭＡＰ  Ｐｒｅｐ  Ｈａｎｄｏｖｅｒ  Ｒｅｓｐ）を伝送する（Ｓ５１０）。これにより、非同期交換機２６０と同期交換機３６０との間に中継線が設定されるようになる。
【００７３】
より具体的に説明すると、相互連動運用部６０は論理的な中継線設定識別者であるデディケートチャンネルと物理的な中継線とのマッピング関係を設定し、この情報をハンドオーバー要請メッセージ（ＦａｃｉｌｉｔｉｅｓＤｉｒｅｃｔｉｖｅ２）の内部交換機サーキットＩＤ（Ｉｎｔｅｒ  ＭＳＣ  Ｃｉｒｃｕｉｔ  ＩＤ）として設定して同期交換機３６０に伝送し、同期交換機３６０から応答メッセージ（Ｆａｃｉｌｉｔｉｅｓ  Ｄｉｒｅｃｔｉｖｅ２  Ａｃｋ）が伝送されると、非同期交換機２６０と同期交換機３６０との間に中継線が設定されるものである。相互連動運用部６０と同期交換機３６０との間で送受信されるハンドオーバー要請メッセージ（Ｆａｃｉｌｉｔｉｅｓ  Ｄｉｒｅｃｔｉｖｅ２）は、ビリングＩＤ、ＥＳＮ、内部交換機サーキットＩＤ、ＭＩＮなどのパラメーターを含み、その応答メッセージ（Ｆａｃｉｌｉｔｉｅｓ  Ｄｉｒｅｃｔｉｖｅ２  Ａｃｋ）はＣＤＭＡチャンネルデータ、ＣＤＭＡチャンネルリストなどのパラメーターを含む。
【００７４】
このように交換機間に中継線が設定された後、非同期交換機２６０はノードＢ／ＲＮＣ２１０にハンドオーバーのための資源割当が完了したことを報告し（ＩＵ  Ｒｅｌｏｃａｔｉｏｎ  Ｃｏｍｍａｎｄ）（Ｓ５１１）、これを受信したノードＢ／ＲＮＣ２１０は移動通信端末１０の非同期モデム部にハンドオーバーを行うことを要請する（Ｈａｎｄｏｖｅｒ  ｆｒｏｍ  ＵＴＲＡＮ  Ｃｏｍｍａｎｄ）（Ｓ５１２）。ここで、資源割当が完了したことを報告するメッセージ（ＩＵＲｅｌｏｃａｔｉｏｎ  Ｃｏｍｍａｎｄ）はメッセージタイプ、ＲＲＣコンテナ、解除すべきＲＡＢリストなどのパラメーターを含む。
【００７５】
その後、移動通信端末の非同期モデム部が同期モデム部にチャンネル割当情報を伝送する一方（Ｃｈａｎｎｅｌ  Ａｓｓｉｇｎｍｅｎｔ）（Ｓ５１３）、相互連動運用部６０は非同期交換機２６０にアクセス信号を要請するが（ＭＡＰ  Ｐｒｏｃｅｓｓ  Ａｃｃｅｓｓ  Ｓｉｇｎａｌｉｎｇ  Ｒｅｑ）（Ｓ５１４）、アクセス信号はインボークＩＤ、応用プロトコルデータ単位（ＡＤＰＵ）、選択された無線資源情報などを含む。
【００７６】
また、移動通信端末の同期モデム部は、同期移動通信システムの基地局／基地局制御機３１０に逆方向トラフィックチャンネルを通してフレーム及びプリアンブルを伝送し（Ｒｅｖｅｒｓｅ  Ｔｒａｆｆｉｃ  Ｃｈａｎｎｅｌ  Ｆｒａｍｅｓ  ｏｒ  Ｔｒａｆｆｉｃ  Ｃｈａｎｎｅｌ  Ｐｒｅａｍｂｌｅ）（Ｓ５１５）、ハンドオーバーが完了したことを報告して（Ｈａｎｄｏｆｆ  Ｃｏｍｐｌｅｔｉｏｎ  Ｍｅｓｓａｇｅ）（Ｓ５１６）、これを受信した基地局／基地局制御機３１０がこれに対する応答信号を伝送するようになる（ＢＳ  Ａｃｋ  Ｏｒｄｅｒ）（Ｓ５１７）。これに従い、移動通信端末の同期モデム部と同期移動通信システムとの接続が完了するようになり、移動通信端末の同期モデム部は非同期モデム部に同期移動通信システムとの接続が完了したことを通報する（Ｃａｌｌ  Ｃｏｎｎｅｃｔｉｏｎ）（Ｓ５１８）。
【００７７】
現在は、移動通信端末の同期モデム部が、同期移動通信システムとの接続が完了する段階（Ｓ５１８）以後にボコーダーを切り替えるが、このようにすると、移動通信システムがボコーダーを切り替える時点に達するまで黙音区間が発生し、かかることから本発明では、移動通信システムのボコーダー切替時点に移動通信端末のボコーダーを切り替えるために、移動通信端末が指定された時間にセッティングされたタイマーを駆動するようにする（Ｓ５１９）。
【００７８】
一方、基地局／基地局制御機３１０は、同期交換機３６０にハンドオーバーが完了したことを報告し（Ｈａｎｄｏｆｆ  Ｃｏｍｐｌｅｔｅ）（Ｓ５２０）、同期交換機３６０は相互連動運用部６０にハンドオーバーが完了したことを通報する（Ｍｏｂｉｌｅ  Ｏｎ  Ｃｈａｎｎｅｌ）（Ｓ５２１）。
【００７９】
移動通信システムのボコーダー切替時点は、非同期交換機２６０が相互連動運用部６０からハンドオーバーの完了を報告される段階（Ｓ５２１）後に行われ、本発明では移動通信端末の同期モデム部が非同期モデム部に同期移動通信システムとの接続完了を報告した後、非同期交換機が同期交換機からハンドオーバーが完了したことを報告する時間の間移動通信端末のタイマーを駆動させ、タイマー駆動が完了すると、移動通信端末のボコーダーが切り替えられると同時に（Ｓ５２２）、移動通信システムのボコーダーも切り替えられるようにする（Ｓ５２３）。
【００８０】
このようにして、移動通信端末及び移動通信システムのボコーダーを同時に切り替え、黙音区間の発生を最小化することができる。
【００８１】
次に、相互連動運用部６０が非同期交換機２６０に接続の解除を要請することにより（ＭＡＰ  Ｓｅｎｄ  Ｅｎｄ  Ｓｉｇｎａｌ  Ｒｅｑ）（Ｓ５２４）、非同期交換機２６０とノードＢ／ＲＮＣとの接続が解除されるようになる（ＩＵ  Ｒｅｌｅａｓｅ  Ｃｏｍｍａｎｄ、ＩＵ  Ｒｅｌｅａｓｅ  Ｃｏｍｐｌｅｔｅ）（Ｓ５２５、Ｓ５２６）。
【００８２】
以上で説明した手順により非同期移動通信システムで音声通話中である移動通信端末の同期移動通信システムへのハンドオーバーが完了した後は、通話中の２つの移動通信端末のどちらか一方からの要請により呼が解除される（Ｓ５２７）。呼解除は、非同期移動通信システム領域にいる加入者の移動通信端末から要請されても、同期移動通信システム領域にハンドオーバーした加入者の移動通信端末から要請されてもよい。
【００８３】
非同期移動通信システム領域に位置する移動通信端末から呼解除を要請した場合は、非同期交換機２６０が相互連動運用部６０に呼解除要請メッセージ（Ｆａｃｉｌｉｔｉｅｓ  Ｒｅｌｅａｓｅ）を伝送し、相互連動運用部６０がこれに応答することで（Ｆａｃｉｌｉｔｉｅｓ  Ａｃｋ）交換機間に設定されていた中継線が解除されるようになる。ここで、呼解除要請メッセージ（Ｆａｃｉｌｉｔｉｅｓ  Ｒｅｌｅａｓｅ）は、内部ＭＳＣサーキットＩＤ、解除理由、ビリングＩＤ、ＭＩＮなどのパラメーターを含み、その応答メッセージ（Ｆａｃｉｌｉｔｉｅｓ  Ａｃｋ）はビリングＩＤなどのパラメーターを含む。
【実施例３】
【００８４】
図７及び図８は、図４に示す移動通信網での本発明のまた他の実施例によるインターシステムハンドオーバー過程を説明するためのフローチャートであり、非同期交換機と同期交換機が相互連動運用部によって接続され、交換機間メッセージ伝送プロトコルであるＩＳＵＰを利用する場合を示す。
【００８５】
非同期移動通信システム２０領域で音声通話を利用していた移動通信端末１０が同期移動通信システム３０領域へ移動するにつれて、移動通信端末１０は同期移動通信システム３０からの信号を感知するようになり、非同期移動通信システム２０のノードＢからの信号強度、及び隣接基地局（またはノードＢ）との信号強度を周期的に測定してノードＢに報告する。これに従い、現在移動通信端末１０と接続されているノードＢで移動通信端末とノードＢとの信号強度が指定された値以下であることを確認すると、ＲＮＣを通して非同期交換機２６０にハンドオーバーを要請する（ＩＵ  Ｒｅｌｏｃ  Ｒｅｑｕｉｒｅｄ）（Ｓ６０１）。
【００８６】
このハンドオーバー要請メッセージ（ＩＵ  Ｒｅｌｏｃ  Ｒｅｑｕｉｒｅｄ）は同期移動通信システムで使用するハンドオーバー関連メッセージを含む。また、ＲＮＣは移動通信端末１０から受信した隣接基地局情報（基地局ＩＤ）、隣接セル情報などを共に伝送し、非同期交換機２６０はこの情報を基に非同期移動通信システム内の隣接セル間ハンドオーバーであるか、又は同期移動通信システム３０へのハンドオーバーであるかを判断する。ＲＮＣが非同期交換機２６０に伝送するハンドオーバー要請メッセージ（ＩＵ  Ｒｅｌｏｃ  Ｒｅｑｕｉｒｅｄ）は、メッセージタイプ、ハンドオーバータイプ、ハンドオーバー原因、ソース基地局制御機ＩＤ、ターゲット基地局制御機ＩＤ、ＲＡＢ（Ｒａｄｉｏ  Ａｃｃｅｓｓ  Ｂｅａｒｅｒ）情報、及び無線区間関連情報などのパラメーターを含む。また、ＲＮＣはハンドオーバー要請メッセージに含まれたＯｌｄ  ＢＳＳ  Ｔｏ  Ｎｅｗ  ＢＳＳ  Ｉｎｆｏｒｍａｔｉｏｎパラメーターに、同期移動通信システムで使用するハンドオーバー関連情報を追加的に含めて伝送する。
【００８７】
ハンドオーバー要請メッセージを受信した非同期交換機２６０は、相互連動運用部６０にハンドオーバーを要請する非同期メッセージを伝送する（ＭＡＰ  Ｐｒｅｐ  Ｈａｎｄｏｖｅｒ  Ｒｅｑ）（Ｓ６０２）。この時、上記非同期メッセージに拡張コンテナを追加して移動通信端末１０の非同期識別番号（ＭＳＩＳＤＮ）を共に伝送し、このメッセージはインボークＩＤ、ターゲットセルＩＤ、ターゲット無線網制御機ＩＤ、ＭＳＩＳＤＮなどのパラメーターを含む。
【００８８】
その後、相互連動運用部６０は、非同期交換機２６０から受信した非同期加入者情報（ＭＳＩＳＤＮ）を参照して、デュアルスタックホーム位置登録機５０に加入者情報を伝送してくれることを要請する（Ｃａｌｌ  Ｄａｔａ  Ｒｅｑｕｅｓｔ）（Ｓ６０３）。すなわち、移動通信端末１０の同期網識別者（ＭＩＮ、ＥＳＮ）を要請するのである。段階Ｓ１０３において、相互連動運用部６０はデュアルスタックホーム位置登録機５０に非同期メッセージ（ＭＡＰ＿ＳＥＮＤ＿ＩＭＳＩ）を用いて加入者の同期網識別者情報を要請してもよい。
【００８９】
相互連動運用部６０の加入者情報要請を受けたデュアルスタックホーム位置登録機５０は、データベースを照会し該当加入者の同期網識別者情報（ＭＩＮ，ＥＳＮ）を抽出して相互連動運用部６０に伝送する（Ｃａｌｌ  Ｄａｔａ  Ｒｅｑ  Ａｃｋ）（Ｓ６０４）。ここで、加入者の同期網識別者情報を要請する同期網メッセージ（Ｃａｌｌ  Ｄａｔａ  Ｒｅｑｕｅｓｔ）は、ビリングＩＤ、ディジット（すなわち、ＭＳＩＳＤＮ）などのパラメーターを含み、その応答メッセージ（Ｃａｌｌ  Ｄａｔａ  Ｒｅｑ  Ａｃｋ）はＥＳＮ、ＭＩＮ、ＭＳＣＩＤなどのパラメーターを含む。一方、加入者の同期網識別者情報を要請する際に非同期メッセージ（ＭＡＰ＿ＳＥＮＤ＿ＩＭＳＩ）を用いる場合、このメッセージにはインボークＩＤ、ＭＳＩＳＤＮ、ＩＭＳＩ、ＥＳＮなどのパラメーターが含まれる。
【００９０】
デュアルスタックホーム位置登録機５０から加入者情報を受信した相互連動運用部６０は、同期交換機３６０にハンドオーバーを指示し（Ｆａｃｉｌｉｔｉｅｓ  Ｄｉｒｅｃｔｉｖｅ２）（Ｓ１０５）、同期交換機３６０は基地局／基地局制御機３１０にハンドオーバーを要請する（Ｈａｎｄｏｆｆ  Ｒｅｑｕｅｓｔ）（Ｓ６０６）。
【００９１】
このように、相互連動運用部６０は、同期交換機３６０にハンドオーバー指示メッセージ（Ｆａｃｉｌｉｔｉｅｓ  Ｄｉｒｅｃｔｉｖｅ２）を伝送する前に、ビリング（Ｂｉｌｌｉｎｇ）ＩＤを生成してハンドオーバー指示メッセージ（Ｆａｃｉｌｉｔｉｅｓ  Ｄｉｒｅｃｔｉｖｅ２）に含ませ、ハンドオーバー区間別内部交換機サーキットＩＤ（Ｉｎｔｅｒ  ＭＳＣ  Ｃｉｒｃｕｉｔ  ＩＤ）をも含ませてこれらを共に伝送する。ここで、ビリングＩＤは非同期交換機２６０と接続する同期交換機３６０のＩＤ情報を含む。
【００９２】
同期交換機３６０からハンドオーバー要請を受けた基地局／基地局制御機３１０は、順方向トラフィックチャンネルを通して移動通信端末の同期モデム部にＮＵＬＬフレームを伝送（Ｎｕｌｌ  Ｆｏｒｗａｒｄ  Ｔｒａｆｆｉｃ  Ｃｈａｎｎｅｌ  ｆｒａｍｅｓ）することで順方向チャンネルが割り当てられ（Ｓ６０７）、続いて基地局／基地局制御機３１０は同期交換機３６０にハンドオーバー要請に対する応答メッセージ（Ｈａｎｄｏｆｆ  Ｒｅｑｕｅｓｔ  Ａｃｋ）を伝送する（Ｓ６０８）。また、同期交換機３６０は相互連動運用部６０にハンドオーバー指示に対する応答メッセージ（Ｆａｃｉｌｉｔｉｅｓ  Ｄｉｒｅｃｔｉｖｅ２  Ａｃｋ）を伝送し（Ｓ６０９）、相互連動運用部６０は非同期交換機２６０に段階Ｓ６０２でのハンドオーバー要請に対する応答メッセージ（ＭＡＰ  Ｐｒｅｐ  Ｈａｎｄｏｖｅｒ  Ｒｅｓｐ）を伝送する（Ｓ６１０）。これにより、非同期交換機２６０と同期交換機３６０との間には中継線が設定されるようになる。
【００９３】
より具体的に説明すると、相互連動運用部６０は、論理的な中継線設定識別者であるデディケートチャンネルと物理的な中継線とのマッピング関係を設定し、この情報をハンドオーバー要請メッセージ（Ｆａｃｉｌｉｔｉｅｓ  Ｄｉｒｅｃｔｉｖｅ２）の内部交換機サーキットＩＤ（Ｉｎｔｅｒ  ＭＳＣ  Ｃｉｒｃｕｉｔ  ＩＤ）として設定して同期交換機３６０に伝送し、同期交換機３６０から応答メッセージ（Ｆａｃｉｌｉｔｉｅｓ  Ｄｉｒｅｃｔｉｖｅ２  Ａｃｋ）が伝送されると、非同期交換機２６０と同期交換機３６０との間に中継線が設定されるのである。相互連動運用部６０と同期交換機３６０との間で送受信されるハンドオーバー要請メッセージ（Ｆａｃｉｌｉｔｉｅｓ  Ｄｉｒｅｃｔｉｖｅ２）は、ビリングＩＤ、ＥＳＮ、内部交換機サーキットＩＤ、ＭＩＮなどのパラメーターを含み、その応答メッセージ（Ｆａｃｉｌｉｔｉｅｓ  Ｄｉｒｅｃｔｉｖｅ２  Ａｃｋ）はＣＤＭＡチャンネルデータ、ＣＤＭＡチャンネルリストなどのパラメーターを含む。
【００９４】
次いで、非同期交換機２６０が相互連動運用部６０に初期住所メッセージであるＩＡＭ（Ｉｎｉｔｉａｌ  Ａｄｄｒｅｓｓ  Ｍｅｓｓａｇｅ）を伝送し、相互連動運用部６０がこれに対する応答としてＡＣＭ（Ａｄｄｒｅｓｓ  Ｃｏｍｐｌｅｔｉｏｎ  Ｍｅｓｓａｇｅ）を伝送することによって、非同期交換機２６０と同期交換機３６０との間にトランク設定がなされ、これにより呼がルーティングされるようになる（Ｓ６１１、Ｓ６１２）。トランク設定のための交換機間メッセージはＩＳＵＰによって送受信される。
【００９５】
このように、交換機間に中継線及びトランクが設定された後、非同期交換機２６０はノードＢ／ＲＮＣ２１０にハンドオーバーのための資源割当が完了したことを報告し（ＩＵ  Ｒｅｌｏｃａｔｉｏｎ  Ｃｏｍｍａｎｄ）（Ｓ１１３）、これを受信したノードＢ／ＲＮＣ２１０は移動通信端末１０の非同期モデム部にハンドオーバーを行うことを要請する（Ｈａｎｄｏｖｅｒ  ｆｒｏｍ  ＵＴＲＡＮ  Ｃｏｍｍａｎｄ）（Ｓ１１４）。ここで、資源割当が完了したことを報告するメッセージ（ＩＵ  Ｒｅｌｏｃａｔｉｏｎ  Ｃｏｍｍａｎｄ）は、メッセージタイプ、ＲＲＣコンテナ、解除すべきＲＡＢリストなどのパラメーターを含む。
【００９６】
その後、移動通信端末の非同期モデム部は同期モデム部にチャンネル割当情報を伝送し（Ｃｈａｎｎｅｌ  Ａｓｓｉｇｎｍｅｎｔ）（Ｓ６１５）、相互連動運用部６０は非同期交換機２６０にアクセス信号を要請するが（ＭＡＰ  Ｐｒｏｃｅｓｓ  Ａｃｃｅｓｓ  Ｓｉｇｎａｌｉｎｇ  Ｒｅｑ）（Ｓ６１６）、アクセス信号はインボークＩＤ、応用プロトコルデータ単位（ＡＰＤＵ）、選択された無線資源情報などを含む。
【００９７】
また、移動通信端末の同期モデム部は、同期移動通信システムの基地局／基地局制御機３１０に逆方向トラフィックチャンネルを通してフレームまたはプリアンブルを伝送し（Ｒｅｖｅｒｓｅ  Ｔｒａｆｆｉｃ  Ｃｈａｎｎｅｌ  Ｆｒａｍｅｓ  ｏｒ  Ｔｒａｆｆｉｃ  Ｃｈａｎｎｅｌ  Ｐｒｅａｍｂｌｅ）（Ｓ６１７）、ハンドオーバーが完了したことを報告し（Ｈａｎｄｏｆｆ  Ｃｏｍｐｌｅｔｉｏｎ  Ｍｅｓｓａｇｅ）（Ｓ６１８）、これを受信した基地局／基地局制御機３１０がこれに対する応答信号を伝送するようになる（ＢＳ  Ａｃｋ  Ｏｒｄｅｒ）（Ｓ６１９）。すると、同期モデム部は非同期モデム部に同期移動通信システムとの接続が完了したことを通報する（Ｃａｌｌ  Ｃｏｎｎｅｃｔｉｏｎ）（Ｓ６２０）。
【００９８】
現在は、移動通信端末の同期モデム部が同期移動通信システムとの接続が完了する段階（Ｓ６２０）以後にボコーダーを切り替えるが、このようにすると、移動通信システムがボコーダーを切り替える時点に達するまで黙音区間が発生し、かかることから本発明では、移動通信システムのボコーダー切替時点に移動通信端末のボコーダーを切り替えるために、移動通信端末が指定された時間にセッティングされたタイマーを駆動するようにする（Ｓ６２１）。
【００９９】
一方、基地局／基地局制御機３１０は同期交換機３６０にハンドオーバーが完了したことを報告し（Ｈａｎｄｏｆｆ  Ｃｏｍｐｌｅｔｅ）（Ｓ６２２）、同期交換機３６０は相互連動運用部６０にハンドオーバーが完了したことを通報する（Ｍｏｂｉｌｅ  Ｏｎ  Ｃｈａｎｎｅｌ）（Ｓ６２３）。
【０１００】
移動通信システムのボコーダー切替時点は、非同期交換機２６０が相互連動運用部６０からハンドオーバーの完了を報告される段階（Ｓ６２３）後に行われ、本発明では移動通信端末の同期モデム部が非同期モデム部に同期移動通信システムとの接続完了を報告した後、非同期交換機が同期交換機からハンドオーバーが完了したことを報告する時間の間移動通信端末のタイマーを駆動させ、タイマー駆動が完了すると、移動通信端末のボコーダーが切り替えられると同時に（Ｓ６２４）、移動通信システムのボコーダーも切り替えられるようにする（Ｓ６２５）。
【０１０１】
このようにして、移動通信端末及び移動通信システムのボコーダーを同時に切り替え、黙音区間の発生を最小化することができる。
【０１０２】
次に、相互連動運用部６０が非同期交換機２６０に接続の解除を要請し（ＭＡＰ  Ｓｅｎｄ  Ｅｎｄ  Ｓｉｇｎａｌ  Ｒｅｑ）（Ｓ６２６）、非同期交換機２６０に同期交換機３６０と移動通信端末とが接続されたことを知らせるメッセージを伝送した後（ＡＮＳＷＥＲ）（Ｓ６２７）、非同期交換機２６０とノードＢ／ＲＮＣとの接続が解除される（ＩＵ  Ｒｅｌｅａｓｅ  Ｃｏｍｍａｎｄ、ＩＵ  Ｒｅｌｅａｓｅ  Ｃｏｍｐｌｅｔｅ）（Ｓ６２８、Ｓ６２９）。
【０１０３】
以上で説明した手順により非同期移動通信システムで音声通話中である移動通信端末の同期移動通信システムへのハンドオーバーが完了した後、呼解除過程を説明すると次の通りである。呼解除は、非同期移動通信システム領域にいる加入者の移動通信端末から要請されても、同期移動通信システム領域にハンドオーバーした加入者の移動通信端末から要請されてもよいが、本実施例では非同期移動通信システム領域にいる加入者の移動通信端末から呼解除を要請した場合について説明する。
【０１０４】
移動通信端末の呼解除に従い、非同期交換機２６０と同期交換機３６０との呼が解除され（Ｃａｌｌ  Ｒｅｌｅａｓｅ）（Ｓ６３０）、交換機間のトランク接続が解除されるようになる（Ｒｅｌｅａｓｅ）（Ｓ６３１）。その後、非同期交換機２６０は相互連動運用部６０に接続解除が完了したことを報告し（ＭＡＰ  Ｓｅｎｄ  Ｅｎｄ  Ｓｉｇｎａｌ  Ｒｅｓｐ）（Ｓ６３２）、相互連動運用部６０は同期交換機３６０に呼解除要請メッセージ（Ｆａｃｉｌｉｔｉｅｓ  Ｒｅｌｅａｓｅ）を伝送し（Ｓ６３３）、このメッセージを受信した同期交換機３６０がこれに応答することで（Ｆａｃｉｌｉｔｉｅｓ  Ａｃｋ）交換機間に設定されていた中継線設定が解除されるようになる（Ｓ６３４）。ここで、呼解除要請メッセージ（ＦａｃｉｌｉｔｉｅｓＲｅｌｅａｓｅ）は、内部ＭＳＣサーキットＩＤ、解除理由、ビリングＩＤ、ＭＩＮなどのパラメーターを含み、その応答メッセージ（Ｆａｃｉｌｉｔｉｅｓ  Ａｃｋ）はビリングＩＤなどのパラメーターを含む。
【０１０５】
本発明において、非同期交換機はＲＮＣのハンドオーバー要請によって非同期移動通信システム内でのハンドオーバーであるか、又は同期移動通信システムへのハンドオーバーであるかを決定する。また、同期移動通信システムへのハンドオーバーと確認された場合、相互連動運用部ＩＩＦをコンバーターにし、交換機間メッセージ伝送プロトコルであるＩＳＵＰを用いて同期移動通信システムの交換機とメッセージを送受信しながらハンドオーバーがなされるようにし、このために相互連動運用部は、同期移動通信システム情報を予めデータベースとして構築し保存していなければならない。
【０１０６】
尚、移動通信端末のボコーダー切替後から移動通信システムのボコーダー切替までの間に黙音区間が発生する問題を解決するために、移動通信システム及び移動通信端末のボコーダーを同時に切り替えることによって、音声通話サービスを利用する場合のハンドオーバー時における黙音区間を最小化することができる。
【産業上の利用可能性】
【０１０７】
本発明によれば、移動通信端末とは異なった方式の移動通信システム間のハンドオーバー時に、移動通信端末及び移動通信システムのボコーダー切替時点を一致させることにより黙音区間を最小化することができるようになる。
【０１０８】
本発明を上記実施例により具体的に説明したが、本発明はこれに制限されるものではなく、当業者の通常の知識範囲内でその変形や改良が可能である。
【図面の簡単な説明】
【０１０９】
【図１】本発明が適用される非同期移動通信システム及び同期移動通信システムが混在する移動通信網の一例を示す図面である。
【図２】図１に示す移動通信網での本発明の一実施例によるインターシステムハンドオーバー過程を説明するためのフローチャートである。
【図３】図１に示す移動通信網での本発明の一実施例によるインターシステムハンドオーバー過程を説明するためのフローチャートである。
【図４】本発明が適用される非同期移動通信システム及び同期移動通信システムが混在する移動通信網の他の例を示す図面である。
【図５】図４に示す移動通信網での本発明の他の実施例によるインターシステムハンドオーバー過程を説明するためのフローチャートである。
【図６】図４に示す移動通信網での本発明の他の実施例によるインターシステムハンドオーバー過程を説明するためのフローチャートである。
【図７】図４に示す移動通信網での本発明のまた他の実施例によるインターシステムハンドオーバー過程を説明するためのフローチャートである。
【図８】図４に示す移動通信網での本発明のまた他の実施例によるインターシステムハンドオーバー過程を説明するためのフローチャートである。
【図１】
2007528659.tif 000003
【図２】
2007528659.tif 000004
【図３】
2007528659.tif 000005
【図４】
2007528659.tif 000006
【図５】
2007528659.tif 000007
【図６】
2007528659.tif 000008
【図７】
2007528659.tif 000009
【図８】
2007528659.tif 000010
【国際調査報告】
2007528659.tif 000011
2007528659.tif 000012